(57)【特許請求の範囲】
【請求項１】
浴室ユニットに出入りするための出入口に固定され、上枠、下枠、およびそれらの両端を接続する縦枠を有し、引戸をスライド可能に保持する引戸用枠体と、
前記引戸用枠体の一部として設けられ、前記出入口に隣接する前記浴室ユニットの壁パネルの前方に配置されると共に前記引戸を引いた際に前記引戸を収納可能な戸袋と、
前記浴室ユニットに固定され、前記戸袋が前後に移動可能に前記戸袋を所望の高さで支持する支持具と、
前記壁パネルと、左右方向において前記出入口とは反対側に位置する戸袋の端部とを連結する連結具と、を有し、
前記連結具は、
前記壁パネル側の端部に壁パネル側接続部を有すると共に、前記戸袋側の端部に戸袋側接続部を有し、さらに、前記連結具は前記戸袋の中央よりも上方もしくは下方に配置されており、
前記連結具は、前記戸袋の端部に接続されている一方で前記壁パネルには接続されていない状態において、前後方向に位置調整可能に構成されていることを特徴とする戸袋の取付構造。
【請求項２】
前後方向に位置調整可能な前記連結具は、上下方向へ動かすことのみにより前後方向の位置が変わるよう構成されていることを特徴とする請求項１に記載の戸袋の取付構造。
【請求項３】
前記戸袋側接続部は、前記縦枠の内、戸袋側の縦枠である戸袋側縦枠の側方に配置され、前記戸袋の端部と前記壁パネルとを連結した後の姿勢において前記戸袋側縦枠に対して傾斜した長孔を有しており、
さらに、前記連結具は、前記戸袋側接続部と対面する前記戸袋側縦枠の側面から前記戸袋側接続部へ向かって突出する保持具が前記長孔に挿入されるよう構成することで、上下方向へ動かすことのみにより前後方向の位置が変わるよう保持具によって保持されること特徴とする請求項２に記載の戸袋の取付構造。
【請求項４】
前記保持具はリベットであることを特徴とする請求項３に記載の戸袋の取付構造。
【発明の詳細な説明】
【技術分野】
【０００１】
本発明は、浴室ユニットにおける戸袋の取付構造に関する。
【背景技術】
【０００２】  従来より、浴室ユニットにおいて、架台に取り付けた金具で引戸用戸袋の下枠を支持することで戸袋を取り付けた構造が知られている。
【先行技術文献】
【特許文献】
【０００３】
【特許文献１】特開２０１４−２９０６７号公報
【発明の概要】
【発明が解決しようとする課題】
【０００４】
従来の構造だと、戸袋の下枠を金具で支持するのみであるため、戸袋取り付け後、開口部から離れている戸袋の端部が自重で捩れ、戸袋が鉛直方向に対して前方もしくは後方に傾斜した状態となってしまう場合がある。このように傾斜している状態の戸袋と建築躯体とを戸縁で接続しようとすると、戸縁を取り付けにくいだけでなく、戸縁に歪みが生じてしまう恐れもある。
【０００５】
本発明は、上記問題に鑑みてなされたものであり、戸袋の端部が傾斜した状態で取り付けられることを抑制できる戸袋の取付構造を提供することを目的とする。
【課題を解決するための手段】
【０００６】
上記課題を解決するために、本発明に係る戸袋の取付構造は、浴室ユニットに出入りするための出入口に固定され、上枠、下枠、およびそれらの両端を接続する縦枠を有し、引戸をスライド可能に保持する引戸用枠体と、前記引戸用枠体の一部として設けられ、前記出入口に隣接する前記浴室ユニットの壁パネルの前方に配置されると共に前記引戸を引いた際に前記引戸を収納可能な戸袋と、前記浴室ユニットに固定され、前記戸袋が前後に移動可能に前記戸袋を所望の高さで支持する支持具と、前記壁パネルと、左右方向において前記出入口とは反対側に位置する戸袋の端部とを連結する連結具と、を有し、前記連結具は、前記壁パネル側の端部に壁パネル側接続部を有すると共に、前記戸袋側の端部に戸袋側接続部を有し、さらに、前記連結具は前記戸袋の中央よりも上方もしくは下方に配置されており、前記連結具は、前記戸袋の端部に接続されている一方で前記壁パネルには接続されていない状態において、前後方向に位置調整可能に構成されていることを特徴とする。
【０００７】
本発明に係る戸袋の取付構造においては、連結具は、戸袋の端部に接続されている一方で壁パネルには接続されていない状態において、前後方向に位置調整可能に構成されているため、戸袋の端部と壁パネル側接続部との離間距離を調整することができる。また、連結具は、戸袋の中央よりも上方もしくは下方に配置されている。したがって、その離間距離を調整することにより、戸袋の中央よりも上方もしくは下方のいずれか一方において戸袋を前方もしくは後方へ押す力が作用するため、戸袋の上方および下方での変形量の違いを利用して戸袋の捩れを解消した上で、戸袋の端部と壁パネルとを連結することができる。したがって、鉛直方向に対し戸袋の端部が傾斜して取り付けられることを抑制できる。
【０００８】
また、本発明に係る戸袋の取付構造では、前後方向に位置調整可能な前記連結具は、上下方向へ動かすことのみにより前後方向の位置が変わるよう構成されていることも好ましい。
【０００９】
この好ましい態様の戸袋の取付構造においては、連結具は、上下方向へ動かすことのみにより前後方向への位置が変わるよう構成されているため、連結具を位置調整した後に、調整後の位置において連結具と戸袋の端部とをさらに固定する必要がない。したがって、調整作業時の作業性を向上させることができる。
【００１０】
また、本発明に係る戸袋の取付構造では、前記戸袋側接続部は、前記縦枠の内、戸袋側の縦枠である戸袋側縦枠の側方に配置され、前記戸袋の端部と前記壁パネルとを連結した後の姿勢において前記戸袋側縦枠に対して傾斜した長孔を有しており、さらに、前記連結具は、前記戸袋側接続部と対面する前記戸袋側縦枠の側面から前記戸袋側接続部へ向かって突出する保持具が前記長孔に挿入されるよう構成することで、上下方向へ動かすことのみにより前後方向の位置が変わるよう保持具によって保持されることも好ましい。
【００１１】
この好ましい態様の戸袋の取付構造においては、戸袋側接続部に長孔を設けると共に、保持具を長孔に挿入するという簡単な構造で、連結具が上下方向へ動かすことのみにより前後方向へ位置が変わるようにすることができる。
【００１２】
また、本発明に係る戸袋の取付構造では、前記保持具はリベットであることも好ましい。
【００１３】
この好ましい態様の戸袋の取付構造においては、施工後、保守点検を行う場合、戸袋側縦枠と建築躯体との間のスペースが小さくても、連結具をドライバーなどを使うことなく着脱することができるため、保守点検時の作業性を向上させることができる。
【発明の効果】
【００１４】
本発明の戸袋の取付構造によれば、戸袋の端部が傾斜した状態で取り付けられることを抑制できる。
【図面の簡単な説明】
【００１５】
【図１】本発明の実施形態に係る浴室ユニットの斜視図である。
【図２】同上の図１のＡ部およびＢ部の拡大斜視図である。
【図３】同上の図１の側面図である。
【図４】同上の図１の上面図である。
【図５】支持具および連結具の斜視図である。
【図６】戸袋側縦枠に支持具および連結具を取り付ける様子を示す図である。
【図７】支持具および連結具を取り付けた位置に合わせて壁パネルに補強木を貼り付ける様子を示す図である。
【図８】戸袋の高さを調整する様子を示す図である。
【図９】連結具を上下させることにより戸袋側縦枠の上部の位置を前後に調整する様子を示す図である。
【図１０】戸袋の端部を鉛直方向と平行となるよう調整できる原理を示す模式図である。
【図１１】支持具を補強木に固定する様子を示す図である。
【発明を実施するための形態】
【００１６】
以下、図面に基づいて本発明の実施の形態を説明する。まず、図１〜４に基づき、本発明の実施形態に係る引戸用枠体３が取りつけられた浴室ユニット１の構造について説明する。
【００１７】
浴室ユニット１は、高さ調整可能なアジャスタ脚１１を有する架台１３と、架台１３により支持される浴槽（図示せず）と、浴槽と隣接して配置されて架台１３により支持される発泡樹脂製床パンと、浴槽および発泡樹脂製床パンにおける周縁部の上に立設される複数枚の壁パネル１５と、壁パネル１５の上端部に取り付けられる天井パネル１９と、から構成されている。
【００１８】
発泡樹脂製床パンは、上面に化粧用の表面材が設けられており、洗い場１７を構成するものである。架台１３は、発泡樹脂製床パンにかかる荷重を支えるために、発泡樹脂製床パンよりも強固な材料で形成されている。
【００１９】
引戸用枠体３は、上枠３２、下枠３４、およびそれらの両端を接続する２つの縦枠３３、３５を有する。また、引戸用枠体３は、浴室ユニット１外から引戸用枠体３を正面に見て左側の裏側に、浴室ユニット１の出入口１２の周縁部に固定される出入口接続枠３１を有している。引戸用枠体３は、引戸障子（図示せず）を左右にスライド可能に保持している。引戸用枠体３は、浴室ユニット１外から引戸用枠体３を正面に見て右側に、引戸障子を右側にスライドさせて浴室ユニット１の出入口１２を開けた状態において引戸障子を収納可能な戸袋３９を有している。
【００２０】
戸袋３９は浴室ユニット１の出入口１２に隣接する壁パネル１５（１５ａ）の前方に配置され、壁パネル１５との間には、前後方向に隙間Ｓが形成される。戸袋３９は、上枠３２における右側の部分である戸袋側上枠３２１、下枠３４における右側の部分である戸袋側下枠３４１、および、戸袋側上枠３２１と戸袋側下枠３４１の端部を接続する戸袋側縦枠３３によって形成されている。
【００２１】
戸袋３９は、図２（図２（ａ）は図１におけるＡ部の拡大斜視図、図２（ｂ）図１におけるＢ部の拡大斜視図）に示すように、壁パネル１５に取り付けられた２つの金具によって固定される。具体的には、戸袋３９を所定の高さに配置できるよう戸袋３９を支持する支持具５と、戸袋３９が鉛直方向と平行な姿勢となるように戸袋３９を矯正する連結具７によって固定されている。支持具５は戸袋側縦枠３３の中央Ｍより下方に配置され、連結具７は戸袋側縦枠３３の中央より上方に配置されている。
【００２２】
図５（ａ）および図５（ｂ）はそれぞれ支持具５の斜視図および連結具７の斜視図である。支持具５および連結具７は、断面が略Ｌ字状に形成された、アルミニウムなどの金属からなる金具である。
【００２３】
支持具５は壁パネル１５に取り付けられる壁パネル側接続部５１と戸袋側縦枠３３に取り付けられる戸袋側接続部５２を有している。同様に、連結具７も、壁パネル１５に取り付けられる壁パネル側接続部７１と戸袋側縦枠３３に取り付けられる戸袋側接続部７２を有している。
【００２４】
支持具５においては、戸袋側接続部５２に２つの長孔５４が平行に横向きに形成されている。また、壁パネル側接続部５１に、長孔５３が縦向きに１つ、丸孔５５が１つ形成されている。連結具７においては、戸袋側接続部７２に１つの長孔７４が斜め向きに形成されている。また、壁パネル側接続部７１に、長孔７３が縦向きに１つ、丸孔７５が１つ形成されている。
【００２５】
支持具５および連結具７は、それぞれ、長孔５３、７３、と丸孔５５、７５に差し込んだネジＮによって、接着剤で壁パネル１５に貼り付けられた補強木９を介して壁パネル１５に取り付けられると共に、長孔５４、７４に差し込んだリベットＲ（保持具）によって戸袋側縦枠３３に取り付けられる。
【００２６】
続いて、図６〜図１１に基づき、引戸用枠体３の取り付け手順を説明する。
【００２７】
図６（ａ）および図６（ｂ）は、支持具５および連結具７の戸袋側縦枠３３への取り付け前後の様子を示す斜視図である。まず、引戸用枠体３を出入口１２に固定する前に、図６に示すように、リベットＲを支持具５および連結具７の長孔５４、７４および戸袋側縦枠３３に設けられた孔３３１に外方から挿入し、リベットＲにより支持具５および連結具７を戸袋側縦枠３３に取り付ける。すなわち、リベットＲにより支持具５および連結具７は戸袋側縦枠３３に保持される。
【００２８】
その後、浴室ユニット１の出入口１２に引戸用枠体３を固定する。そして、図７に示すように、保持されている支持具５および連結具７の高さに合わせて、補強木９を壁パネル１５に接着剤で貼り付けて固定する。
【００２９】
続いて、戸袋３９の水平を出すために、戸袋３９の高さを調整する。このとき、図８に示すように下枠３４に水平器を載置し、この水平器によって、施工者は水平になったか否かを確認する。そして、水平になった状態で、支持具５の長孔５３および丸孔５５にネジＮを差し込み、支持具５をネジＮで補強木９に固定する。これにより、戸袋３９は支持具５によって支持された状態となる。
【００３０】
続いて、戸袋３９が支持具５によって支持された状態で、図９のように壁パネル側接続部７１を補強木９に接触させた状態で、壁パネル側接続部７１が補強木９表面を摺動するようにして、連結具７を上下に動かす。このように上下に動かすことにより、戸袋側縦枠３３に対する連結具７の前後方向の位置が変化するため、戸袋側縦枠３３と壁パネル側接続部７１との離間距離が変化し、これにより戸袋側縦枠３３の上部の前後方向の位置を調整することができる。
【００３１】
図１０はこの調整時の様子を模式的に示した図である。図１０に示すように、連結具７の前後方向の位置を変化させることで、戸袋側縦枠３３の上方には、戸袋側縦枠３３の上方の位置が変化するような力が連結具７から加えられる。このとき、戸袋側縦枠３３の下方は、戸袋側縦枠３３の上方よりも力の作用点から離れており、さらに、戸袋側縦枠３３の下端は下枠３４の剛性の影響を受けるため、戸袋側縦枠３３の下方は戸袋側縦枠３３の上方よりも前後方向への変位が小さくなる。これにより、戸袋側縦枠３３の上方のみに連結具７によって力を加える場合であっても、戸袋３９の端部３９ａを鉛直方向と平行な姿勢へ調整することができる。
【００３２】
このようにして戸袋側縦枠３３の上部の前後方向の位置を調整することで、戸袋３９の端部３９ａが鉛直方向と平行な姿勢となるように調整し、その姿勢になった連結具７の位置で、図１０のように、長孔７３および丸孔７５にネジＮを差し込み、連結具７をネジによって補強木９に固定する。以上により、引戸用枠体３の取りつけが完了する。
【符号の説明】
【００３３】
１：浴室ユニット
３：引戸用枠体
１５：壁パネル
３９：戸袋
３９ａ：戸袋の端部
５：支持具 
７：連結具
【図１】
0006651948.tif 000002
【図２】
0006651948.tif 000003
【図３】
0006651948.tif 000004
【図４】
0006651948.tif 000005
【図５】
0006651948.tif 000006
【図６】
0006651948.tif 000007
【図７】
0006651948.tif 000008
【図８】
0006651948.tif 000009
【図９】
0006651948.tif 000010
【図１０】
0006651948.tif 000011
【図１１】
0006651948.tif 000012